(57)【要約】【課題】画像の解像度を低下させることなく、ユーザが直感的な操作を行うことによって所望の領域を拡大して表示することができる撮像装置、撮像方法およびプログラムを提供する。【解決手段】レンズ部３の所定のズーム倍率に対応する撮影領域を、表示部２１６が表示する画像から切出してトリミング画像を生成するトリミング部２０７ａと、トリミング部２０７ａが生成したトリミング画像に対応するズーム倍率に従って、レンズ部３の光学ズームを制御する撮影制御部２２７ｂと、を備える。【選択図】図３
2014011721.tif 000002
【特許請求の範囲】
【請求項１】
所定の視野領域から集光するとともに、光学ズームが可能なレンズ部と、
前記レンズ部が集光した光を受光して画像データを生成する撮像部と、
前記撮像部が生成した画像データに対応する画像を表示可能な表示部と、
前記レンズ部の所定のズーム倍率に対応する撮影領域を、前記画像から切出してトリミング画像を生成するトリミング部と、
前記トリミング部が生成した前記トリミング画像に対応するズーム倍率に従って、前記レンズ部の光学ズームを制御する撮影制御部と、
を備えたことを特徴とする撮像装置。
【請求項２】
前記撮影領域に関するズーム情報および前記トリミング画像を前記画像に重畳して前記表示部に表示させる表示制御部をさらに備えたことを特徴とする請求項１に記載の撮像装置。
【請求項３】
前記撮影領域の位置または大きさを変更する指示信号の入力を受け付ける入力部をさらに備え、
前記表示制御部は、前記入力部から入力される前記指示信号に応じて前記画像上における前記撮影領域の位置または大きさを変更することを特徴とする請求項２に記載の撮像装置。
【請求項４】
前記入力部は、
前記表示部の表示画面上に設けられ、外部からの物体のタッチを検出し、検出したタッチ位置に応じた位置信号を出力するタッチパネルを有し、
前記撮影制御部は、前記タッチパネルから前記位置信号が入力された場合、前記レンズ部に光学ズームを実行させることを特徴とする請求項３に記載の撮像装置。
【請求項５】
前記入力部は、
当該撮像装置の撮影準備動作を指示する撮影準備指示信号の入力を受け付けるレリーズスイッチを有し、
前記撮影制御部は、前記レリーズスイッチから前記撮影準備指示信号が入力された場合、前記レンズ部に光学ズームを実行させることを特徴とする請求項３に記載の撮像装置。
【請求項６】
前記表示制御部は、前記撮影領域が前記レンズ部の光軸を通過しない場合、前記トリミング部が生成した前記トリミング画像を前記表示部に全画面表示させることを特徴とする請求項２〜５のいずれか一つに記載に撮像装置。
【請求項７】
前記表示制御部は、前記レンズ部の光学ズームのズーム倍率より前記撮影領域が大きい場合、前記トリミング部が生成した前記トリミング画像を前記表示部に全画面表示させることを特徴とする請求項２〜６のいずれか一つに記載の撮像装置。
【請求項８】
前記撮影領域に含まれる被写体の特徴量を検出する特徴量検出部と、
前記特徴量検出部が検出した前記特徴量に基づいて、隣接する画像間で追尾する追尾被写体を設定する追尾被写体設定部と、
をさらに備え、
前記撮影制御部は、前記追尾被写体設定部によって設定された前記追尾被写体が前記撮影領域に入った場合、前記レンズ部に光学ズームを実行させることを特徴とする請求項２〜７のいずれか一つに記載の撮像装置。
【請求項９】
前記撮影制御部は、前記レンズ部が光学ズームを実行している場合において、前記追尾被写体が前記撮影領域から外れたとき、前記レンズ部による光学ズームを停止させることを特徴とする請求項８に記載の撮像装置。
【請求項１０】
所定の視野領域から集光するとともに、光学ズームが可能なレンズ部と、前記レンズ部が集光した光を受光して画像データを生成する撮像部と、前記撮像部が生成した画像データに対応する画像を表示可能な表示部と、を備えた撮像装置が実行する撮像方法であって、
前記レンズ部による所定のズーム倍率に対応する撮影領域を、前記画像から切出してトリミング画像を生成するトリミングステップと、
前記トリミングステップで生成した前記トリミング画像に対応するズーム倍率に従って、前記レンズ部の光学ズームを制御する撮影制御ステップと、
を実行することを特徴とする撮像方法。
【請求項１１】
所定の視野領域から集光するとともに、光学ズームが可能なレンズ部と、前記レンズ部が集光した光を受光して画像データを生成する撮像部と、前記撮像部が生成した画像データに対応する画像を表示可能な表示部と、を備えた撮像装置に実行させるプログラムであって、
前記レンズ部による所定のズーム倍率に対応する撮影領域を、前記画像から切出してトリミング画像を生成するトリミングステップと、
前記トリミングステップで生成した前記トリミング画像に対応するズーム倍率に従って、前記レンズ部の光学ズームを制御する撮影制御ステップと、
を含むことを特徴とするプログラム。
【発明の詳細な説明】
【技術分野】
【０００１】
本発明は、被写体を撮像して該被写体の画像データを生成する撮像装置、撮像方法およびプログラムに関する。
【背景技術】
【０００２】
近年、デジタルカメラ等の撮像装置において、画像を表示する表示部の表示画面上にタッチパネルを設け、ユーザが撮影に関する操作をタッチパネルで行う技術が知られている（特許文献１参照）。この技術では、表示部が画像を表示している場合において、タッチパネルがタッチされたとき、このタッチ位置を含む所定の領域を電子ズームで拡大して表示部の全画面で表示させる。
【先行技術文献】
【特許文献】
【０００３】
【特許文献１】特許第４３４０３５８号公報
【発明の概要】
【発明が解決しようとする課題】
【０００４】
しかしながら、上述した特許文献１の技術では、ユーザが直感的な操作を行うことによって所望の領域を拡大して表示することができるが、電子ズームによって画像を拡大するため、画像の解像度が低下するという問題点があった。
【０００５】
本発明は、上記に鑑みてなされたものであって、画像の解像度を低下させることなく、ユーザが直感的な操作を行うことによって所望の領域を拡大して表示することができる撮像装置、撮像方法およびプログラムを提供することを目的とする。
【課題を解決するための手段】
【０００６】
上述した課題を解決し、目的を達成するために、本発明にかかる撮像装置は、所定の視野領域から集光するとともに、光学ズームが可能なレンズ部と、前記レンズ部が集光した光を受光して画像データを生成する撮像部と、前記撮像部が生成した画像データに対応する画像を表示可能な表示部と、前記レンズ部の所定のズーム倍率に対応する撮影領域を、前記画像から切出してトリミング画像を生成するトリミング部と、前記トリミング部が生成した前記トリミング画像に対応するズーム倍率に従って、前記レンズ部の光学ズームを制御する撮影制御部と、を備えたことを特徴とする。
【０００７】
また、本発明にかかる撮像装置は、上記発明において、前記撮影領域に関するズーム情報および前記トリミング画像を前記画像に重畳して前記表示部に表示させる表示制御部をさらに備えたことを特徴とする。
【０００８】
また、本発明にかかる撮像装置は、上記発明において、前記撮影領域の位置または大きさを変更する指示信号の入力を受け付ける入力部をさらに備え、前記表示制御部は、前記入力部から入力される前記指示信号に応じて前記画像上における前記撮影領域の位置または大きさを変更することを特徴とする。
【０００９】
また、本発明にかかる撮像装置は、上記発明において、前記入力部は、前記表示部の表示画面上に設けられ、外部からの物体のタッチを検出し、検出したタッチ位置に応じた位置信号を出力するタッチパネルを有し、前記撮影制御部は、前記タッチパネルから前記位置信号が入力された場合、前記レンズ部に光学ズームを実行させることを特徴とする。
【００１０】
また、本発明にかかる撮像装置は、上記発明において、前記入力部は、当該撮像装置の撮影準備動作を指示する撮影準備指示信号の入力を受け付けるレリーズスイッチを有し、前記撮影制御部は、前記レリーズスイッチから前記撮影準備指示信号が入力された場合、前記レンズ部に光学ズームを実行させることを特徴とする。
【００１１】
また、本発明にかかる撮像装置は、上記発明において、前記表示制御部は、前記撮影領域が前記レンズ部の光軸を通過しない場合、前記トリミング部が生成した前記トリミング画像を前記表示部に全画面表示させることを特徴とする。
【００１２】
また、本発明にかかる撮像装置は、上記発明において、前記表示制御部は、前記レンズ部の光学ズームのズーム倍率より前記撮影領域が大きい場合、前記トリミング部が生成した前記トリミング画像を前記表示部に全画面表示させることを特徴とする。
【００１３】
また、本発明にかかる撮像装置は、上記発明において、前記撮影領域に含まれる被写体の特徴量を検出する特徴量検出部と、前記特徴量検出部が検出した前記特徴量に基づいて、隣接する画像間で追尾する追尾被写体を設定する追尾被写体設定部と、をさらに備え、前記撮影制御部は、前記追尾被写体設定部によって設定された前記追尾被写体が前記撮影領域に入った場合、前記レンズ部に光学ズームを実行させることを特徴とする。
【００１４】
また、本発明にかかる撮像装置は、上記発明において、前記撮影制御部は、前記レンズ部が光学ズームを実行している場合において、前記追尾被写体が前記撮影領域から外れたとき、前記レンズ部による光学ズームを停止させることを特徴とする。
【００１５】
また、本発明にかかる撮像方法は、所定の視野領域から集光するとともに、光学ズームが可能なレンズ部と、前記レンズ部が集光した光を受光して画像データを生成する撮像部と、前記撮像部が生成した画像データに対応する画像を表示可能な表示部と、を備えた撮像装置が実行する撮像方法であって、前記レンズ部による所定のズーム倍率に対応する撮影領域を、前記画像から切出してトリミング画像を生成するトリミングステップと、前記トリミングステップで生成した前記トリミング画像に対応するズーム倍率に従って、前記レンズ部の光学ズームを制御する撮影制御ステップと、を実行することを特徴とする。
【００１６】
また、本発明にかかるプログラムは、所定の視野領域から集光するとともに、光学ズームが可能なレンズ部と、前記レンズ部が集光した光を受光して画像データを生成する撮像部と、前記撮像部が生成した画像データに対応する画像を表示可能な表示部と、を備えた撮像装置に実行させるプログラムであって、前記レンズ部による所定のズーム倍率に対応する撮影領域を、前記画像から切出してトリミング画像を生成するトリミングステップと、前記トリミングステップで生成した前記トリミング画像に対応するズーム倍率に従って、前記レンズ部の光学ズームを制御する撮影制御ステップと、を含むことを特徴とする。
【発明の効果】
【００１７】
本発明によれば、撮影制御部がトリミング部によって生成されたトリミング画像に対応するズーム倍率に従って、レンズ部の光学ズームを制御するので、画像の解像度を低下させることなく、ユーザが直感的な操作を行うことによって所望の領域を拡大して表示することができる効果を奏する。
【図面の簡単な説明】
【００１８】
【図１】図１は、本発明の実施の形態１にかかる撮像装置の被写体に面する側の構成を示す図である。
【図２】図２は、本発明の実施の形態１にかかる撮像装置の撮影者に面する側の構成を示す図である。
【図３】図３は、本発明の実施の形態１にかかる撮像装置の機能構成を示すブロック図である。
【図４】図４は、本発明の実施の形態１にかかる撮像装置が実行する処理の概要を示すフローチャートである。
【図５】図５は、本発明の実施の形態１にかかる撮像装置の表示部が表示する画像の一例を示す図である。
【図６】図６は、本発明の実施の形態１にかかる撮像装置の表示部が表示する画像の画面内でタッチ操作された状態を示す図である。
【図７】図７は、本発明の実施の形態１にかかる撮像装置の表示部が表示する画像の画面内でピンチ操作された状態を示す図である。
【図８】図８は、本発明の実施の形態１にかかる撮像装置の表示部が表示するライブビュー画像内の副画像にタッチ操作された際の画面遷移図である。
【図９】図９は、本発明の実施の形態１にかかる撮像装置の表示部が表示するライブビュー画像内の副画像にタッチ操作された際の別の画面遷移図である。
【図１０】図１０は、本発明の実施の形態２にかかる撮像装置が実行する処理の概要を示すフローチャートである。
【図１１】図１１は、本発明の実施の形態２にかかる撮像装置の表示部が表示する画像にタッチ操作された際の状況を示す図である。
【図１２】図１２は、本発明の実施の形態２にかかる撮像装置の表示制御部がズーム枠をライブビュー画像上に重畳して表示する際の表示領域の算出方法の概要を説明する図である。
【図１３】図１３は、本発明の実施の形態２にかかる撮像装置の表示部が表示するライブビュー画像内のズーム枠に対してスライド操作された際の画面遷移図である。
【図１４】図１４は、本発明の実施の形態２にかかる撮像装置の撮影制御部がズーム枠の表示領域を焦点距離に換算する換算方法の概要を説明する図である。
【図１５】図１５は、本発明の実施の形態２にかかる撮像装置の表示部が表示する画像の一例を示す図である。
【図１６】図１６は、本発明の実施の形態３にかかる撮像装置が実行する処理の概要を示すフローチャートである。
【図１７】図１７は、本発明の実施の形態３にかかる撮像装置の表示部が表示する画像に対してタッチされたタッチ位置を含む領域に含まれる被写体をターゲットとして追尾を開始する際の状況を示す図である。
【図１８】図１８は、ターゲットがズーム枠内に位置している状況を示す図である。
【図１９】図１９は、本発明の実施の形態４にかかる撮像装置が実行する処理の概要を示すフローチャートである。
【図２０】図２０は、本発明の実施の形態４にかかる撮像装置の表示部が表示する画像の一例を示す図である。
【図２１】図２１は、本発明の実施の形態４にかかる撮像装置の表示部が表示する画像に対してズーム枠から電子ズーム枠に切り換える際の画面遷移図である。
【発明を実施するための形態】
【００１９】
以下に、図面を参照して、本発明を実施するための形態（以下、「実施の形態」という）について説明する。なお、以下の実施の形態により本発明が限定されるものではない。また、図面の記載において、同一の部分には同一の符号を付して説明する。
【００２０】
図１は、本発明の実施の形態１にかかる撮像装置の被写体に面する側（前面側）の構成を示す図である。図２は、本発明の実施の形態１にかかる撮像装置の撮影者に面する側（背面側）の構成を示す図である。図３は、本発明の実施の形態１にかかる撮像装置の機能構成を示すブロック図である。
【００２１】
図１〜図３に示す撮像装置１は、本体部２と、本体部２に着脱自在であり、所定の視野領域から光を集光するとともに、光学ズームが可能なレンズ部３と、本体部２に着脱自在な外部機器４と、を備える。
【００２２】
まず、本体部２について説明する。本体部２は、シャッタ２０１と、シャッタ駆動部２０２と、撮像素子２０３と、撮像素子駆動部２０４と、信号処理部２０５と、Ａ／Ｄ変換部２０６と、画像処理部２０７と、ＡＥ処理部２０８と、ＡＦ処理部２０９と、画像圧縮展開部２１０と、入力部２１１と、アクセサリ通信部２１２と、接眼表示部２１３と、アイセンサ２１４と、可動部２１５と、表示部２１６と、タッチパネル２１７と、回動判定部２１８と、状態検出部２１９と、時計２２０と、記録媒体２２１と、メモリＩ／Ｆ２２２と、ＳＤＲＡＭ（Synchronous  Dynamic  Random  Access  Memory）２２３と、Ｆｌａｓｈメモリ２２４と、本体通信部２２５と、バス２２６と、本体制御部２２７と、を備える。
【００２３】
シャッタ２０１は、撮像素子２０３の状態を露光状態または遮光状態に設定する。シャッタ駆動部２０２は、ステッピングモータやＤＣモータ等を用いて構成され、本体制御部２２７から入力される指示信号に応じてシャッタ２０１を駆動する。
【００２４】
撮像素子２０３は、レンズ部３が集光した光を受光して電気信号に変換するＣＣＤ（Charge  Coupled  Device）またはＣＭＯＳ（Complementary  Metal  Oxide  Semiconductor）等を用いて構成され、被写体の画像データを生成する。撮像素子駆動部２０４は、所定のタイミングで撮像素子２０３から画像データ（アナログ信号）を信号処理部２０５へ出力させる。この意味で、撮像素子駆動部２０４は、電子シャッタとして機能する。
【００２５】
信号処理部２０５は、撮像素子２０３から入力される画像データに対して、アナログ処理を施してＡ／Ｄ変換部２０６へ出力する。たとえば、信号処理部２０５は、画像データに対して、リセットノイズ等を低減した上で波形整形後、目的の明るさとなるようにゲインアップを行う。
【００２６】
Ａ／Ｄ変換部２０６は、信号処理部２０５から入力されるアナログの画像データに対してＡ／Ｄ変換を行うことによってデジタルの画像データ（ＲＡＷデータ）を生成し、バス２２６を介してＳＤＲＡＭ２２３へ出力する。
【００２７】
画像処理部２０７は、バス２２６を介してＳＤＲＡＭ２２３から画像データ（ＲＡＷデータ）を取得し、取得した画像データに対して各種の画像処理を行って処理画像データを生成する。具体的には、画像処理部２０７は、オプティカルブラック減算処理、ホワイトバランス（ＷＢ）調整処理、カラーマトリクス演算処理、ガンマ補正処理、色再現処理およびエッジ強調処理等を含む基本の画像処理を行う。なお、画像処理部２０７は、撮像素子２０３がベイヤー配列の場合には画像データの同時化処理を行う。画像処理部２０７は、バス２２６を介して処理画像データをＳＤＲＡＭ２２３または表示部２１６へ出力する。
【００２８】
ここで、画像処理部２０７の詳細な構成について説明する。画像処理部２０７は、トリミング部２０７ａと、特徴量検出部２０７ｂと、追尾被写体設定部２０７ｃと、を有する。
【００２９】
トリミング部２０７ａは、本体制御部２２７の制御のもと、画像データに対応する画像の所定の領域を切出してトリミング画像を生成する。また、トリミング部２０７ａは、入力部２１１から入力される指示信号またはタッチパネル２１７から入力される位置信号に応じて、レンズ部３による所定のズーム倍率に対応する撮影領域を、撮像素子２０３が生成する画像データに対応する画像から切出してトリミング画像を生成する。たとえば、トリミング部２０７ａは、タッチパネル２１７から入力される位置信号を含む領域を、レンズ部３による所定のズーム倍率に対応する撮影領域として画像データから切出してトリミング画像を生成する。この意味で、トリミング部２０７ａが電子ズームとして機能する。
【００３０】
特徴量検出部２０７ｂは、本体制御部２２７の制御のもと、画像データに対応する画像の所定の領域に含まれる被写体の特徴量を検出する。具体的には、特徴量検出部２０７ｂは、入力部２１１から入力された指示信号またはタッチパネル２１７から入力される位置信号によって設定された所定の領域に含まれる被写体の輝度成分を特徴量として検出する。
【００３１】
追尾被写体設定部２０７ｃは、特徴量検出部２０７ｂが検出した特徴量に基づいて、追尾する追尾被写体を設定し、この設定した追尾被写体を隣接する画像間で追尾する。なお、追尾被写体設定部２０７ｃは、パターンマッチング等の周知技術を用いて追尾被写体を隣接する画像間で追尾してもよい。
【００３２】
ＡＥ処理部２０８は、バス２２６を介してＳＤＲＡＭ２２３に記録された画像データを取得し、取得した画像データに基づいて、撮像装置１が静止画撮影または動画撮影を行う際の露出条件を設定する。具体的には、ＡＥ処理部２０８は、画像データから輝度を算出し、算出した輝度に基づいて、たとえば絞り値、シャッタ速度、ＩＳＯ感度等を決定することで撮像装置１の自動露出を行う。
【００３３】
ＡＦ処理部２０９は、バス２２６を介してＳＤＲＡＭ２２３に記録された画像データを取得し、取得した画像データに基づいて、撮像装置１の自動焦点の調整を行う。たとえば、ＡＦ処理部２０９は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。なお、ＡＦ処理部２０９は、瞳分割位相差法を用いて撮像装置１の自動焦点の調整を行ってもよい。
【００３４】
画像圧縮展開部２１０は、バス２２６を介してＳＤＲＡＭ２２３から画像データや処理画像データを取得し、取得した画像データに対して所定の形式に従って圧縮し、この圧縮した画像データをメモリＩ／Ｆ２２２を介して記録媒体２２１へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部２１０は、バス２２６およびメモリＩ／Ｆ２２２を介して記録媒体２２１に記録された画像データ（圧縮画像データ）を取得し、取得した画像データを展開（伸長）してＳＤＲＡＭ２２３へ出力する。
【００３５】
入力部２１１は、撮像装置１の電源状態をオン状態またはオフ状態に切り替える電源スイッチ２１１ａと、静止画撮影の指示を与える静止画レリーズ信号の入力を受け付けるレリーズスイッチ２１１ｂと、撮像装置１の各種設定を切り替える操作スイッチ２１１ｃと、撮像装置１の各種設定を表示部２１６に表示させるメニュースイッチ２１１ｄと、動画撮影の指示を与える動画レリーズ信号の入力を受け付ける動画スイッチ２１１ｅと、記録媒体２２１に記録された画像データに対応する画像を表示部２１６に表示させる再生スイッチ２１１ｆと、を有する。レリーズスイッチ２１１ｂは、外部からの押圧により進退可能であり、半押しされた場合に撮影準備動作を指示する指示信号のファーストレリーズ信号の入力を受け付ける一方、全押しされた場合に静止画撮影を指示するセカンドレリーズ信号の入力を受け付ける。
【００３６】
アクセサリ通信部２１２は、本体部２に装着される外部機器４との通信を行うための通信インターフェースである。
【００３７】
接眼表示部２１３は、液晶または有機ＥＬ（Electro  Luminescence）からなる表示パネルおよび駆動ドライバ等を用いて構成される。接眼表示部２１３は、本体制御部２２７の制御のもと、バス２２６を介してＳＤＲＡＭ２２３に記録された画像データに対応する画像を表示する。この意味で、接眼表示部２１３は、電子ビューファインダ（ＥＶＦ）として機能する。
【００３８】
アイセンサ２１４は、接触センサ等を用いて構成される。アイセンサ２１４は、接眼表示部２１３に対するユーザの接近を検出し、この検出結果を本体制御部２２７へ出力する。具体的には、アイセンサ２１４は、ユーザが接眼表示部２１３で画像を確認しているか否かを検出する。
【００３９】
可動部２１５は、表示部２１６およびタッチパネル２１７が設けられ、ヒンジ２１５ａを介して可動可能に本体部２に設けられる。たとえば、可動部２１５は、本体部２の鉛直方向に対して表示部２１６が上向き、または下向きに変更可能に本体部２に設けられる（図２を参照）。
【００４０】
表示部２１６は、液晶または有機ＥＬからなる表示パネルおよび駆動ドライバ等を用いて構成される。表示部２１６は、本体制御部２２７の制御のもと、バス２２６を介してＳＤＲＡＭ２２３に記録された画像データまたは記録媒体２２１に記録された画像データを取得し、取得した画像データに対応する画像を表示する。ここで、画像の表示には、撮影直後の画像データを所定時間（たとえば３秒間）だけ表示するレックビュー表示、記録媒体２２１に記録された画像データを再生する再生表示、および撮像素子２０３が連続的に生成する画像データに対応するライブビュー画像を時系列に沿って順次表示するライブビュー表示等が含まれる。また、表示部２１６は、撮像装置１の操作情報および撮影に関する情報を適宜表示する。
【００４１】
タッチパネル２１７は、表示部２１６の表示画面上に重畳して設けられる。タッチパネル２１７は、外部からの物体のタッチを検出し、この検出したタッチ位置に応じた位置信号を本体制御部２２７へ出力する。また、タッチパネル２１７は、ユーザが表示部２１６で表示される情報、たとえばアイコン画像やサムネイル画像に基づいてタッチした位置を検出し、この検出したタッチ位置に応じて撮像装置１が行う動作を指示する指示信号や画像を選択する選択信号の入力を受け付けてもよい。一般に、タッチパネル２１７としては、抵抗膜方式、静電容量方式および光学方式等がある。本実施の形態１では、いずれの方式のタッチパネルであっても適用可能である。さらに、可動部２１５、表示部２１６およびタッチパネル２１７は、一体的に形成してもよい。
【００４２】
回動判定部２１８は、可動部２１５の回動状況を判定し、この検出結果を本体制御部２２７へ出力する。たとえば、回動判定部２１８は、本体部２に対して可動部２１５が可動しているか否かを判定し、この判定結果を本体制御部２２７へ出力する。
【００４３】
状態検出部２１９は、加速度センサおよびジャイロセンサを用いて構成され、撮像装置１に生じる加速度および角速度をそれぞれ検出し、この検出結果を本体制御部２２７へ出力する。
【００４４】
時計２２０は、計時機能および撮影日時の判定機能を有する。時計２２０は、撮像素子２０３によって撮像された画像データに日時データを付加するため、日時データを本体制御部２２７へ出力する。
【００４５】
記録媒体２２１は、撮像装置１の外部から装着されるメモリカード等を用いて構成される。記録媒体２２１は、メモリＩ／Ｆ２２２を介して撮像装置１に着脱自在に装着される。記録媒体２２１には、画像処理部２０７や画像圧縮展開部２１０が処理を施した画像データが書き込まれる。また、記録媒体２２１は、本体制御部２２７によって記録された画像データが読み出される。
【００４６】
ＳＤＲＡＭ２２３は、揮発メモリを用いて構成される。ＳＤＲＡＭ２２３は、バス２２６を介してＡ／Ｄ変換部２０６から入力される画像データ、画像処理部２０７から入力される画像データおよび撮像装置１の処理中の情報を一時的に記録する。たとえば、ＳＤＲＡＭ２２３は、信号処理部２０５、Ａ／Ｄ変換部２０６およびバス２２６を介して撮像素子２０３が１フレーム毎に順次出力する画像データを一時的に記録する。
【００４７】
Ｆｌａｓｈメモリ２２４は、不揮発性メモリを用いて構成される。Ｆｌａｓｈメモリ２２４は、プログラム記録部２２４ａを有する。プログラム記録部２２４ａは、撮像装置１を動作させるための各種プログラムおよびプログラムの実行中に使用される各種データおよび画像処理部２０７による画像処理の動作に必要な各画像処理のパラメータ等を記録する。
【００４８】
本体通信部２２５は、本体部２に装着されるレンズ部３との通信を行うための通信インターフェースである。
【００４９】
バス２２６は、撮像装置１の各構成部位を接続する伝送路等を用いて構成される。バス２２６は、撮像装置１の内部で発生した各種データを撮像装置１の各構成部に転送する。
【００５０】
本体制御部２２７は、ＣＰＵ（Central  Processing  Unit）等を用いて構成される。本体制御部２２７は、入力部２１１からの指示信号またはタッチパネル２１７からの位置信号に応じて撮像装置１を構成する各部に対応する指示やデータの転送等を行って撮像装置１の動作を統括的に制御する。
【００５１】
本体制御部２２７の詳細な構成について説明する。本体制御部２２７は、タッチ検出部２２７ａと、撮影制御部２２７ｂと、表示制御部２２７ｃと、を有する。
【００５２】
タッチ検出部２２７ａは、タッチパネル２１７から入力される位置信号に応じて、タッチパネル２１７上のタッチ位置を検出する。
【００５３】
撮影制御部２２７ｂは、レリーズスイッチ２１１ｂからセカンドレリーズ信号が入力された場合、撮像装置１における撮影動作を開始する制御を行う。ここで、撮像装置１における撮影動作とは、シャッタ駆動部２０２および撮像素子駆動部２０４の駆動によって撮像素子２０３が出力した画像データに対し、信号処理部２０５、Ａ／Ｄ変換部２０６および画像処理部２０７が所定の処理を施す動作をいう。このように処理が施された画像データは、撮影制御部２２７ｂの制御のもと、画像圧縮展開部２１０で圧縮され、バス２２６およびメモリＩ／Ｆ２２２を介して記録媒体２２１に記録される。また、撮影制御部２２７ｂは、タッチパネル２１７から位置信号が入力された場合、トリミング部２０７ａが生成したトリミング画像に対応するズーム倍率に従って、レンズ部３の光学ズームを制御する。具体的には、撮影制御部２２７ｂは、本体通信部２２５を介しレンズ部３を制御することによって、トリミング部２０７ａが生成したトリミング画像のズーム倍率になるようにレンズ部３の光学ズームを駆動する。
【００５４】
表示制御部２２７ｃは、画像データに対応する画像を表示部２１６および／または接眼表示部２１３に表示させる。具体的には、表示制御部２２７ｃは、接眼表示部２１３の電源がオン状態である場合、画像データに対応するライブビュー画像を接眼表示部２１３に表示させる一方、接眼表示部２１３の電源がオフ状態である場合、画像データに対応するライブビュー画像を表示部２１６に表示させる。また、表示制御部２２７ｃは、レンズ部３による所定のズーム倍率に対応する撮影領域に関するズーム情報およびトリミング部２０７ａが生成したトリミング画像をライブビュー画像上に重畳して接眼表示部２１３および／または表示部２１６に表示させる。ここで、撮影領域とは、レンズ部３の焦点距離と撮像素子２０３のセンササイズとによって定まる画角（視野領域）である。なお、表示制御部２２７ｃは、レンズ部３の光軸Ｏに関する指標をライブビュー画像上に重畳して表示部２１６に表示させてもよい。
【００５５】
以上の構成を有する本体部２に対して、音声入出力機能、フラッシュ機能および外部と双方向に通信可能な通信機能等を具備させてもよい。
【００５６】
つぎに、レンズ部３について説明する。レンズ部３は、ズームレンズ３０１と、ズーム駆動部３０２と、ズーム位置検出部３０３と、絞り３０４と、絞り駆動部３０５と、絞り値検出部３０６と、フォーカスレンズ３０７と、フォーカス駆動部３０８と、フォーカス位置検出部３０９と、レンズ操作部３１０と、レンズＦｌａｓｈメモリ３１１と、レンズ通信部３１２と、レンズ制御部３１３と、を備える。
【００５７】
ズームレンズ３０１は、一または複数のレンズを用いて構成される。ズームレンズ３０１は、レンズ部３の光軸Ｏ上に沿って移動することにより、撮像装置１の光学ズームの倍率を変更する。たとえば、ズームレンズ３０１は、焦点距離が１２ｍｍ〜５０ｍｍの間で焦点距離を変更することができる。
【００５８】
ズーム駆動部３０２は、ＤＣモータまたはステッピングモータ等を用いて構成され、レンズ制御部３１３の制御のもと、ズームレンズ３０１を光軸Ｏ上に沿って移動させることにより、撮像装置１の光学ズームの変更を行う。
【００５９】
ズーム位置検出部３０３は、フォトインタラプタ等を用いて構成され、光軸Ｏ上におけるズームレンズ３０１の位置を検出し、この検出結果をレンズ制御部３１３へ出力する。
【００６０】
絞り３０４は、ズームレンズ３０１が集光した光の入射量を制限することにより露出の調整を行う。
【００６１】
絞り駆動部３０５は、ステッピングモータ等を用いて構成され、レンズ制御部３１３の制御のもと、絞り３０４を駆動することにより、撮像装置１の絞り値（Ｆ値）を変更する。
【００６２】
絞り値検出部３０６は、フォトインタラプタやエンコーダ等を用いて構成され、絞り３０４の現在の状況から絞り値を検出し、この検出結果をレンズ制御部３１３へ出力する。
【００６３】
フォーカスレンズ３０７は、一または複数のレンズを用いて構成される。フォーカスレンズ３０７は、レンズ部３の光軸Ｏ上に沿って移動することにより、撮像装置１のピント位置を変更する。
【００６４】
フォーカス駆動部３０８は、ＤＣモータやステッピングモータ等を用いて構成され、レンズ制御部３１３の制御のもと、フォーカスレンズ３０７を光軸Ｏに沿って移動させることにより、撮像装置１のピント位置を調整する。
【００６５】
フォーカス位置検出部３０９は、フォトインタラプタ等を用いて構成され、光軸Ｏ上におけるフォーカスレンズ３０７の位置を検出し、この検出結果をレンズ制御部３１３へ出力する。
【００６６】
レンズ操作部３１０は、図１に示すように、レンズ部３のレンズ鏡筒の周囲に設けられるリングであり、レンズ部３における光学ズームの変更を指示する指示信号の入力またはレンズ部３におけるピント位置の調整を指示する指示信号の入力を受け付ける。なお、レンズ操作部３１０は、プッシュ式のスイッチやレバー式のスイッチ等であってもよい。
【００６７】
レンズＦｌａｓｈメモリ３１１は、ズームレンズ３０１、絞り３０４およびフォーカスレンズ３０７の位置および動きをそれぞれ決定するための制御プログラム、レンズ部３のレンズ特性および各種パラメータを記録する。ここで、レンズ特性とは、レンズ部３の色収差、画角情報、明るさ情報（ｆ値）および焦点距離情報（たとえば５０ｍｍ〜３００ｍｍ）である。
【００６８】
レンズ通信部３１２は、レンズ部３が本体部２に装着された際に、本体部２の本体通信部２２５と通信を行うための通信インターフェースである。
【００６９】
レンズ制御部３１３は、ＣＰＵ等を用いて構成される。レンズ制御部３１３は、レンズ操作部３１０からの指示信号または本体部２からの指示信号に応じてレンズ部３の動作を制御する。具体的には、レンズ制御部３１３は、レンズ操作部３１０からの指示信号に応じて、フォーカス駆動部３０８を駆動させてフォーカスレンズ３０７によるピント調整やズーム駆動部３０２を駆動させてズームレンズ３０１の光学ズームのズーム倍率の変更を行う。なお、レンズ制御部３１３は、レンズ部３が本体部２に装着された際に、レンズ部３のレンズ特性およびレンズ部３を識別する識別情報を本体部２に送信してもよい。
【００７０】
つぎに、外部機器４について説明する。外部機器４は、本体部２に着脱自在である。外部機器４は、たとえばフラッシュ装置、音声入出力可能な録音装置、所定の方式に従って外部のネットワークに接続して記録媒体２２１に記録された画像データを外部へ転送する通信装置である。また、外部機器４は、通信部４０１を有する。通信部４０１は、外部機器４が本体部２に装着された際に、本体部２のアクセサリ通信部２１２と通信を行うための通信インターフェースである。
【００７１】
以上の構成を有する撮像装置１が実行する処理について説明する。図４は、撮像装置１が実行する処理の概要を示すフローチャートである。
【００７２】
まず、撮像装置１が撮影モードに設定されている場合（ステップＳ１０１：Ｙｅｓ）について説明する。この場合において、レンズ部３が他のレンズ部３に交換されたとき（ステップＳ１０２：Ｙｅｓ）、本体制御部２２７は、交換されたレンズ部３とレンズ通信を行って、レンズ部３からレンズ特性を取得する（ステップＳ１０３）。その後、撮像装置１は、ステップＳ１０４へ移行する。これに対して、レンズ部３が他のレンズ部３に交換されていない場合（ステップＳ１０２：Ｎｏ）、撮像装置１は、ステップＳ１０４へ移行する。
【００７３】
続いて、表示制御部２２７ｃは、撮像素子２０３が生成した画像データに対応するライブビュー画像、ライブビュー画像内において拡大する領域の候補を示すズーム枠、およびトリミング部２０７ａが画像データからズーム枠に対応する領域を切出した副画像を表示部２１６または接眼表示部２１３に表示させる（ステップＳ１０４）。たとえば、図５に示すように、ユーザが撮像装置１を用いて天体を撮影する場合、表示制御部２２７ｃは、表示部２１６または接眼表示部２１３が表示するライブビュー画像Ｗ１に、拡大する領域を示すズーム枠Ｋ１およびトリミング部２０７ａが画像データからズーム枠Ｋ１に対応する領域を切出して生成した副画像Ｋ２を重畳して表示させる。なお、図５においては、ズーム枠Ｋ１は、初期状態としてレンズ部３の所定のズーム倍率、たとえば２倍のズーム倍率に対応した撮影領域を示す。また、副画像Ｋ２の表示位置や大きさは、適宜変更することができる。
【００７４】
その後、タッチ検出部２２７ａは、表示部２１６が表示するライブビュー画像の画面内でタッチされたか否かを検出する（ステップＳ１０５）。具体的には、図６に示すように、タッチ検出部２２７ａは、ユーザによって表示部２１６が表示するライブビュー画像Ｗ１内の画面内でタッチされることにより、タッチパネル２１７から位置信号が入力されたか否かを検出する。タッチ検出部２２７ａが表示部２１６によって表示されるライブビュー画像Ｗ１の画面内でタッチを検出した場合（ステップＳ１０５：Ｙｅｓ）、撮像装置１は、後述するステップＳ１２２へ移行する。これに対して、タッチ検出部２２７ａがタッチパネル２１７を介して表示部２１６によって表示されるライブビュー画像Ｗ１の画面内でタッチを検出していない場合（ステップＳ１０５：Ｎｏ）、撮像装置１は、後述するステップＳ１０６へ移行する。
【００７５】
ステップＳ１０６において、タッチ検出部２２７ａは、ズーム枠Ｋ１に対してピンチ操作が行われたか否かを検出する。具体的には、図７に示すように、タッチ検出部２２７ａは、ユーザがズーム枠Ｋ１の境界を含む領域内で異なる２箇所にタッチすることにより、タッチパネル２１７から異なるタッチ位置を示す２つの位置信号が入力されたか否かを検出する。なお、図７においては、タッチ検出部２２７ａは、２箇所にタッチされることによりピンチ操作を判定しているが、たとえばズーム枠Ｋ１の枠上にタッチされた場合であっても、ピンチ操作が行われたと検出してもよい。タッチ検出部２２７ａがズーム枠Ｋ１に対してピンチ操作を検出した場合（ステップＳ１０６：Ｙｅｓ）、撮像装置１は、後述するステップＳ１０７へ移行する。これに対して、タッチ検出部２２７ａがズーム枠Ｋ１に対してピンチ操作を検出していない場合（ステップＳ１０６：Ｎｏ）、撮像装置１は、後述するステップＳ１１０へ移行する。
【００７６】
ステップＳ１０７において、レンズ部３による光学ズームが限界の場合（ステップＳ１０７：Ｙｅｓ）、表示制御部２２７ｃは、表示部２１６が表示するライブビュー画像Ｗ１上に、レンズ部３による光学ズームが限界であることを示す警告を表示させる（ステップＳ１０８）。たとえば、表示制御部２２７ｃは、ズーム枠Ｋ１の表示をハイライト表示で表示させることにより、レンズ部３による光学ズームが限界であることを示す警告を表示部２１６に表示させる。なお、表示制御部２２７ｃは、レンズ部３による光学ズームが限界であることを示す警告をアイコン画像や文字で表示部２１６に表示させてもよい。ステップＳ１０８の後、撮像装置１は、ステップＳ１１０へ移行する。
【００７７】
ステップＳ１０７において、レンズ部３による光学ズームが限界でない場合（ステップＳ１０７：Ｎｏ）、表示制御部２２７ｃは、タッチパネル２１７から入力された２つの位置信号に応じて、ライブビュー画像Ｗ１上におけるズーム枠Ｋ１の表示領域を拡大または縮小する（ステップＳ１０９）。具体的には、表示制御部２２７ｃは、異なる２つの位置人号を示す２点のタッチ位置が時間の経過とともに離れる場合（ピンチアウト操作があった場合）、ズーム枠Ｋ１の表示領域を大きくする一方、異なる２つの位置信号を示す２点のタッチ位置が時間の経過とともに近づく場合（ピンチイン操作があった場合）、ズーム枠Ｋ１の表示領域を小さくする。ステップＳ１０９の後、撮像装置１は、ステップＳ１１０へ移行する。
【００７８】
続いて、タッチ検出部２２７ａは、ズーム枠Ｋ１に対してスライド操作が行われたか否かを検出する（ステップＳ１１０）。具体的には、タッチ検出部２２７ａは、ユーザがズーム枠Ｋ１の境界を含む領域内でタッチしながらタッチ位置を移動させることにより、タッチパネル２１７からタッチ位置を示す位置信号が時間の経過とともに変化しているか否かを検出する。タッチ検出部２２７ａがズーム枠Ｋ１に対してスライド操作を検出した場合（ステップＳ１１０：Ｙｅｓ）、表示制御部２２７ｃは、スライド操作に応じてライブビュー画像Ｗ１上におけるズーム枠Ｋ１を移動して表示部２１６に表示させる（ステップＳ１１１）。ステップＳ１１１の後、撮像装置１は、ステップＳ１１２へ移行する。これに対して、タッチ検出部２２７ａがズーム枠Ｋ１に対してスライド操作を検出していない場合（ステップＳ１１０：Ｎｏ）、撮像装置１は、ステップＳ１１２へ移行する。
【００７９】
その後、副画像Ｋ２に対してタップ操作があった場合（ステップＳ１１２：Ｙｅｓ）において、ズーム枠Ｋ１がライブビュー画像Ｗ１上の画面の中心を含む位置にあるとき（ステップＳ１１３：Ｙｅｓ）、撮影制御部２２７ｂは、レンズ部３の光学ズームを、ズーム枠Ｋ１に相当する大きさまでレンズ部３の光学ズームのズーム倍率を変更する（ステップＳ１１４）。具体的には、図８に示すように、ユーザがタッチパネル２１７を介して副画像Ｋ２にタップ操作を行った場合において、ズーム枠Ｋ１がライブビュー画像Ｗ１上の画面の中心の位置であって、レンズ部３の光軸Ｏ上を一部に含む位置にあるとき（図８（ａ））、撮影制御部２２７ｂは、本体通信部２２５およびレンズ通信部３１２を介してレンズ制御部３１３を制御し、ズーム駆動部３０２を駆動することによって、ズームレンズ３０１を光軸Ｏ方向に沿って移動させることで、ズーム枠Ｋ１のズーム倍率に相当する大きさまでレンズ部３の光学ズームのズーム倍率を徐々に変更する（図８（ａ）→図８（ｂ））。これにより、撮像装置１は、ユーザが所望する領域に対して、光学ズームのズーム倍率を変更しながら拡大または縮小することができる。なお、撮像装置１が光学ズームを行っている際に、タッチパネル２１７から位置信号の入力が停止した場合、撮影制御部２２７ｂは、現在のズーム倍率の位置でズームレンズ３０１の駆動を停止させてもよい。また
レンズ部３が光学ズームを行っている場合において、撮影制御部２２７ｂは、レンズ部３がズーム枠Ｋ１のズーム倍率に相当する大きさのズーム倍率に到達するまで、トリミング部２０７ａにトリミング画像を順次生成させ、表示制御部２２７ｃは、トリミング部２０７ａが生成したトリミング画像を表示部２１６に表示させてもよい。これにより、レンズ部３による光学ズームが到達するまでの期間を、仮想的にズーム枠Ｋ１のズーム倍率に相当するズーム倍率で表示することができ、ユーザが所望する領域を瞬時に拡大または縮小することができる。
【００８０】
続いて、レリーズスイッチ２１１ｂが全押しされることによって、セカンドレリーズ信号が入力されて撮影操作が行われた場合（ステップＳ１１５：Ｙｅｓ）、撮影制御部２２７ｂは、撮像素子２０３に静止画撮影を実行させ（ステップＳ１１６）、撮像素子２０３が生成した画像データを記録媒体２２１に記録する（ステップＳ１１７）。この際、表示制御部２２７ｃは、画像データに対応する画像を所定時間（たとえば３秒間）だけ表示部２１６にレックビュー表示させてもよい。これに対して、レリーズスイッチ２１１ｂを介して撮影操作が行われていない場合（ステップＳ１１５：Ｎｏ）、撮像装置１は、ステップＳ１１８へ移行する。
【００８１】
その後、電源スイッチ２１１ａが操作されることにより、撮像装置１の電源がオフになった場合（ステップＳ１１８：Ｙｅｓ）、撮像装置１は、本処理を終了する。これに対して、電源スイッチ２１１ａを介して撮像装置１の電源がオフになっていない場合（ステップＳ１１８：Ｎｏ）、撮像装置１は、ステップＳ１０１へ戻る。
【００８２】
ステップＳ１１２において、副画像Ｋ２に対してタップ操作があった場合（ステップＳ１１２：Ｙｅｓ）において、ズーム枠Ｋ１がライブビュー画像Ｗ１の画面の中央にないとき（ステップＳ１１３：Ｎｏ）、撮影制御部２２７ｂは、ズーム枠Ｋ１のズーム倍率に相当する大きさのトリミング画像をトリミング部２０７ａに生成させることによって、ズーム枠Ｋ１のズーム倍率に相当する大きさまで電子ズームを行う（ステップＳ１１９）。たとえば、図９に示すように、ユーザがタッチパネル２１７を介して副画像Ｋ３にタップ操作を行った場合において、ズーム枠Ｋ１がライブビュー画像Ｗ１上の画面の中央にないとき（図９（ａ））、撮影制御部２２７ｂがズーム枠Ｋ１のズーム倍率に相当する大きさのトリミング画像をトリミング部２０７ａに生成させ、表示制御部２２７ｃがトリミング部２０７ａによって生成されたトリミング画像Ｗ２を表示部２１６に全画面表示させる（図９（ａ）→図９（ｂ））。これにより、撮像装置１は、レンズ部３による光学ズームができなくとも、電子ズームによってユーザが所望する領域に対して拡大または縮小することができる。ステップＳ１１９の後、撮像装置１は、ステップＳ１１５へ移行する。
【００８３】
ステップＳ１１２において、タッチパネル２１７を介してズーム枠Ｋ１のタップ操作がなく（ステップＳ１１２：Ｎｏ）、レリーズスイッチ２１１ｂの半押し操作が行われた場合（ステップＳ１２０：Ｙｅｓ）、撮像装置１は、ステップＳ１１３へ移行する。これに対して、タッチパネル２１７を介してズーム枠Ｋ１のタップ操作がなく（ステップＳ１１２：Ｎｏ）、レリーズスイッチ２１１ｂの半押し操作が行われていない場合（ステップＳ１２０：Ｎｏ）、撮像装置１は、ステップＳ１２１へ移行する。
【００８４】
ステップＳ１２１において、本体制御部２２７は、表示部２１６が表示するライブビュー画像Ｗ１上において、追尾被写体が画面中央に位置しているか否かを判断する。具体的には、本体制御部２２７は、追尾被写体設定部２０７ｃが設定した追尾被写体がライブビュー画像Ｗ１上の画面中央の領域内であって、ズーム枠Ｋ１内の領域内に位置しているか否かを判断する。表示部２１６が表示するライブビュー画像Ｗ１上において、追尾被写体が画面中央に位置している場合（ステップＳ１２１：Ｙｅｓ）、撮像装置１は、ステップＳ１１３へ移行する。これに対して、表示部２１６が表示するライブビュー画像Ｗ１上において、追尾被写体が画面中央に位置していない場合（ステップＳ１２１：Ｎｏ）、撮像装置１は、ステップＳ１１５へ移行する。
【００８５】
ステップＳ１２２において、撮影制御部２２７ｂは、タッチ位置に対応する領域にレンズ部３のピントを調整する。具体的には、撮影制御部２２７ｂは、本体通信部２２５およびレンズ通信部３１２を介してレンズ制御部３１３を制御し、フォーカス駆動部３０８を駆動することにより、フォーカスレンズ３０７を光軸Ｏ方向に沿って移動させることで、タッチ位置に対応する領域にレンズ部３のピントを調整する。ステップＳ１２２の後、撮像装置１は、ステップＳ１１６へ移行する。
【００８６】
ステップＳ１０１において、撮像装置１が撮影モードに設定されておらず（ステップＳ１０１：Ｎｏ）、撮像装置１が再生モードに設定されている場合(ステップＳ１２３：Ｙｅｓ)について説明する。この場合、表示制御部２２７ｃは、記録媒体２２１に記録された画像データを表示部２１６に表示させて再生する（ステップＳ１２４）。
【００８７】
続いて、画像を変更する変更操作があった場合（ステップＳ１２５：Ｙｅｓ）、表示制御部２２７ｃは、画像を変更する（ステップＳ１２６）。その後、撮像装置１は、ステップＳ１２４へ戻る。これに対して、画像を変更する変更操作がない場合（ステップＳ１２５：Ｎｏ）、撮像装置１は、ステップＳ１１８へ移行する。
【００８８】
ステップＳ１２３において、撮像装置１が再生モードに設定されていない場合（ステップＳ１２３：Ｎｏ）、撮像装置１は、ステップＳ１１８へ移行する。
【００８９】
以上説明した本実施の形態１によれば、トリミング部２０７ａがレンズ部３による所定のズーム倍率に対応する撮影領域を、撮像素子２０３によって生成された画像データから切出してトリミング画像を生成し、撮影制御部２２７ｂがトリミング部２０７ａによって生成されたトリミング画像に対応するズーム倍率に従って、レンズ部３の光学ズームを制御する。これにより、画像の解像度を低下させることなく、直感的な操作でユーザが所望する領域を拡大して表示することができる。
【００９０】
さらに、本実施の形態１によれば、表示制御部２２７ｃがレンズ部３によるズーム領域に関する情報としてズーム枠Ｋ１およびトリミング部２０７ａによって生成されたトリミング画像を副画像としてライブビュー画像Ｗ１に重畳して表示部２１６に表示させる。これにより、ユーザは、所望するズーム倍率の画像を確認しながら、所望のズーム倍率に変更することができる。
【００９１】
また、本実施の形態１によれば、タッチパネル２１７を介してズーム枠の位置または大きさを変更することができるので、直感的な操作でレンズ部３の光学ズームを行うことができる。
【００９２】
さらにまた、本実施の形態１によれば、タッチパネル２１７を介して副画像Ｋ２がタッチされた場合または入力部２１１からレンズ部３による光学ズームを指示する指示信号が入力された場合、撮影制御部２２７ｂがズーム枠Ｋ１のズーム倍率に相当する大きさまでレンズ部３に光学ズームを実行させる。これにより、ユーザは、直感的に操作で所望の光学ズームを行うことができる。
【００９３】
また、本実施の形態１によれば、レンズ部３の光軸Ｏ上にズーム枠がない場合、表示制御部２２７ｃは、トリミング部２０７ａが生成したトリミング画像Ｋ３を表示部２１６に全画面表示させる。これにより、レンズ部３による光学ズームを行うことができなくとも、電子ズームによって仮想的にユーザが所望するズーム倍率で表示することができる。
【００９４】
また、本実施の形態１によれば、表示制御部２２７ｃは、レンズ部３の光学ズームによる撮影領域よりズーム枠Ｋ１がより大きい場合、トリミング部２０７ａが生成したトリミング画像を表示部２１６に全画面表示させる。これにより、レンズ部３による光学ズームを行うことができなくとも、電子ズームによって仮想的にユーザが所望するズーム倍率で表示部２１６に画像を表示することができる。
【００９５】
（実施の形態２）
つぎに、本発明の実施の形態２について説明する。本実施の形態２にかかる撮像装置は、上述した実施の形態１にかかる撮像装置と同様の構成を有する。このため、以下においては、本実施の形態２にかかる撮像装置が実行する処理について説明する。なお、上述した実施の形態１と同一の構成には同一の符号を付して説明する。
【００９６】
図１０は、本実施の形態２にかかる撮像装置１が実行する処理の概要を示すフローチャートである。
【００９７】
まず、撮像装置１が撮影モードに設定されている場合（ステップＳ２０１：Ｙｅｓ）について説明する。この場合、本体制御部２２７は、本体通信部２２５およびレンズ通信部３１２を介してレンズ制御部３１３とレンズ通信を行う（ステップＳ２０２）。この際、本体制御部２２７は、レンズ部３からレンズ特性を取得する。
【００９８】
続いて、撮影制御部２２７ｂは、撮像素子駆動部２０４を駆動することにより、撮像素子２０３に撮像を実行させる（ステップＳ２０３）。
【００９９】
その後、表示制御部２２７ｃは、撮像素子２０３が生成した画像データに対応するライブビュー画像を表示部２１６に表示させる（ステップＳ２０４）。
【０１００】
続いて、表示部２１６が表示するライブビュー画像上にズーム枠表示がある場合（ステップＳ２０５：Ｙｅｓ）、撮像装置１は、後述するステップＳ２１０へ移行する。これに対して、表示部２１６が表示するライブビュー画像上にズーム枠表示がない場合（ステップＳ２０５：Ｎｏ）、撮像装置１は、後述するステップＳ２０６へ移行する。
【０１０１】
ステップＳ２０６において、タッチ検出部２２７ａは、タッチパネル２１７がタッチされたか否かを検出する。タッチ検出部２２７ａがタッチパネル２１７のタッチを検出した場合（ステップＳ２０６：Ｙｅｓ）、撮像装置１は、後述するステップＳ２０７へ移行する。これに対して、タッチ検出部２２７ａがタッチパネル２１７のタッチを検出した場合（ステップＳ２０６：Ｎｏ）、撮像装置１は、後述するステップＳ２１０へ移行する。
【０１０２】
ステップＳ２０７において、表示制御部２２７ｃは、タッチ位置の座標を取得し（ステップＳ２０７）、ライブビュー画像上にズーム枠を表示部２１６に表示させるとともに（ステップＳ２０８）、副画像をライブビュー画像上に重畳して表示部２１６に表示させる（ステップＳ２０９）。具体的には、図１１に示すように、タッチパネル２１７を介して表示部２１６が表示するライブビュー画像Ｗ１０上でタッチされた場合、表示制御部２２７ｃは、２つのタッチ位置の対角線の位置を含む領域に対してズーム枠Ｋ１０を表示させるとともに、トリミング部２０７ａが画像データからズーム枠Ｋ１０の領域を切出して生成した副画像Ｋ１１をライブビュー画像Ｗ１０上の右部に重畳して表示させる。これにより、ユーザは、ズーム後の撮影領域と、ズーム後の画像を把握することができる。ステップＳ２０９の後、撮像装置１は、ステップＳ２１０へ移行する。
【０１０３】
ここで、表示制御部２２７ｃがズーム枠Ｋ１０をライブビュー画像Ｗ１０上に重畳して表示する際の表示領域の算出方法について説明する。図１２は、表示制御部２２７ｃがズーム枠Ｋ１０をライブビュー画像Ｗ１０上に重畳して表示する際の表示領域の算出方法の概要を説明する図である。図１２において、表示部２１６の左下を原点とし、表示部２１６の横方向をＸ軸とし、表示部２１６の縦方向をＹ軸とする座標系として考える。
【０１０４】
図１２に示すように、表示部２１６のＸ軸方向の大きさをＸ（ｆ）、ズーム枠のＸ軸方向の大きさをＸ（ｆmax）、現在のレンズ部３の焦点距離をＦ、レンズ部３の最大焦点距離をＦmaxとした場合、以下の式（１）によってズーム枠のＸ軸方向の表示範囲が算出される。
Ｘ（ｆmax）＝（Ｘ（ｆ）×Ｆ）／Ｆmax      ・・・（１）
また、表示部２１６のＹ軸方向の大きさをＹ（ｆ）、ズーム枠のＹ軸方向の大きさをＹ（ｆmax）、現在のレンズ部３の焦点距離をＦ、レンズ部３の最大焦点距離をＦmaxとした場合、以下の式（２）によってズーム枠のＸ軸方向の表示範囲が算出される。
Ｙ（ｆmax）＝（Ｙ（ｆ）×Ｆ）／Ｆmax      ・・・（２）
このように、表示制御部２２７ｃは、式（１）および式（２）を用いて、ライブビュー画像Ｗ１０上におけるズーム枠Ｋ１０の表示領域の大きさＸ（ｆmax），Ｙ（ｆmax）を算出する。
【０１０５】
図１０に戻り、ステップＳ２１０以降の説明を続ける。ステップＳ２１０において、タッチ検出部２２７ａは、ズーム枠Ｋ１０に対してスライド操作が行われたか否かを検出する。タッチ検出部２２７ａがズーム枠Ｋ１０に対するスライド操作を検出した場合（ステップＳ２１０：Ｙｅｓ）、撮像装置１は、後述するステップＳ２１１へ移行する。これに対して、タッチ検出部２２７ａがズーム枠Ｋ１０に対するスライド操作を検出していない場合（ステップＳ２１０：Ｎｏ）、撮像装置１は、後述するステップＳ２１４へ移行する。
【０１０６】
ステップＳ２１１において、表示制御部２２７ｃは、スライド操作が行われた開始位置からスライド操作が終了してユーザの指がタッチパネル２１７から離間した位置を示すスライド座標を取得し（ステップＳ２１１）、ライブビュー画像Ｗ１０上に、スライド座標に応じたズーム枠Ｋ１０を表示部２１６に表示させるとともに（ステップＳ２１２）、副画像Ｋ１１をライブビュー画像Ｗ１０上に重畳して表示部２１６に表示させる（ステップＳ２１３）。たとえば、図１３に示すように、表示制御部２２７ｃは、ズーム枠Ｋ１０に対してズーム倍率を拡大するスライド操作が行われた場合、スライド操作に応じてズーム枠Ｋ１０の表示領域を縮小して表示部２１６に表示させるとともに、トリミング部２０７ａが画像データからズーム枠Ｋ１０の領域を切出して生成した副画像Ｋ１１をライブビュー画像Ｗ１０に重畳して表示部２１６に表示させる。これにより、ユーザは、ズーム後の撮影領域と、ズーム後の画像を把握することができる。ステップＳ２１３の後、撮像装置１は、ステップＳ２１４へ移行する。
【０１０７】
図１０に戻り、ステップＳ２１４以降の説明を続ける。ステップＳ２１４において、レリーズスイッチ２１１ｂに対して半押し操作があった場合（ステップＳ２１４：Ｙｅｓ）において、表示部２１６が表示するライブビュー画像Ｗ１０上にズーム枠Ｋ１０が表示されているとき（ステップＳ２１５：Ｙｅｓ）、表示制御部２２７ｃは、ライブビュー画像Ｗ１０上から副画像Ｋ１１を削除する（ステップＳ２１６）。
【０１０８】
続いて、撮影制御部２２７ｂは、ズーム枠Ｋ１に相当する大きさまで光学ズームをレンズ部３に実行させる（ステップＳ２１７）。具体的には、撮影制御部２２７ｂは、ライブビュー画像Ｗ１０上におけるズーム枠Ｋ１０の表示領域に対応するレンズ部３の焦点距離に換算し、この換算した焦点距離になるようにレンズ部３を駆動する。
【０１０９】
ここで、撮影制御部２２７ｂがズーム枠Ｋ１０の表示領域に対応する焦点距離に換算する算出方法について説明する。図１４は、撮影制御部２２７ｂがズーム枠Ｋ１０の表示領域に対応する焦点距離に換算する換算方法の概要を説明する図である。図１４において、表示部２１６の左下を原点とし、表示部２１６の横方向をＸ軸とする。
【０１１０】
図１４に示すように、表示部２１６のＸ軸方向の大きさをＸ（ｆ）、スライド操作後のズーム枠Ｋ１０のＸ軸方向の大きさをＸ（ｆmin）、現在のレンズ部３の焦点距離をＦとした場合、スライド操作後のレンズ部３の焦点距離をＦminは、以下の式（３）によって算出される。
Ｆmin＝（Ｘ（ｆ）×Ｆ）／Ｘ（ｆmin）      ・・・（３）
このように、撮影制御部２２７ｂは、式（３）を用いて、ライブビュー画像Ｗ１０上におけるズーム枠Ｋ１０の表示領域に対応するレンズ部３の焦点距離Ｆminに換算する。これにより、図１５に示すように、撮影制御部２２７ｂは、本体通信部２２５およびレンズ通信部３１２を介してレンズ制御部３１３を制御し、式（３）を用いて算出したレンズ部３の焦点距離Ｆminに基づいて、ズーム駆動部３０２を駆動することにより、ズームレンズ３０１を光軸Ｏ上に沿って移動させ、ズーム枠Ｋ１０に相当する光学ズームのズーム倍率に変更する。
【０１１１】
ステップＳ２１７の後または表示部２１６が表示するライブビュー画像Ｗ１０上にズーム枠Ｋ１０が表示されていない場合（ステップＳ２１５：Ｎｏ）、撮像装置１は、ステップＳ２１８へ移行する。
【０１１２】
続いて、撮影制御部２２７ｂは、ＡＥ処理部２０８にＡＥ処理を実行させるとともに、ＡＦ処理部２０９にＡＦ処理を実行させる（ステップＳ２１８）。ステップＳ２１８の後またはレリーズスイッチ２１１ｂに対して半押し操作がない場合（ステップＳ２１４：Ｎｏ）、撮像装置１は、ステップＳ２１９へ移行する。
【０１１３】
その後、レリーズスイッチ２１１ｂの全押し操作されることにより、撮影操作が行われた場合（ステップＳ２１９：Ｙｅｓ）、撮影制御部２２７ｂは、撮像素子２０３に静止画撮影を実行させる（ステップＳ２２０）。
【０１１４】
続いて、撮影制御部２２７ｂは、撮像素子２０３が生成した画像データを記録媒体２２１に記録する（ステップＳ２２１）。
【０１１５】
その後、電源スイッチ２１１ａが操作されることにより、撮像装置１の電源がオフになった場合（ステップＳ２２２：Ｙｅｓ）、撮像装置１は、本処理を終了する。これに対して、電源スイッチ２１１ａが操作されることにより、撮像装置１の電源がオフになっていない場合（ステップＳ２２２：Ｎｏ）、撮像装置１は、ステップＳ２０１へ戻る。
【０１１６】
ステップＳ２１９において、レリーズスイッチ２１１ｂの撮影操作が行われていない場合（ステップＳ２１９：Ｎｏ）、撮像装置１は、ステップＳ２２２へ移行する。
【０１１７】
ステップＳ２０１において、撮像装置１が撮影モードに設定されていない場合（ステップＳ２０１：Ｎｏ）について説明する。この場合、撮像装置１は、記録媒体２２１に記録された画像データに対応する画像を表示部２１６に表示させて再生する画像再生処理を実行する（ステップＳ２２３）。その後、撮像装置１は、ステップＳ２２２へ移行する。
【０１１８】
以上説明した本実施の形態２によれば、トリミング部２０７ａがレンズ部３による所定のズーム倍率に対応する撮影領域を、撮像素子２０３によって生成された画像データから切出してトリミング画像を生成し、撮影制御部２２７ｂがトリミング部２０７ａによって生成されたトリミング画像のズーム倍率に従って、レンズ部３の光学ズームを制御する。これにより、画像の解像度を低下させることなく、ユーザが直感的な操作で所望の領域を拡大して表示することができる。
【０１１９】
（実施の形態３）
つぎに、本発明の実施の形態３について説明する。本実施の形態３にかかる撮像装置は、上述した実施の形態１にかかる撮像装置と同様の構成を有する。このため、以下においては、本実施の形態３にかかる撮像装置が実行する処理について説明する。なお、上述した実施の形態１と同一の構成には同一の符号を付して説明する。
【０１２０】
図１６は、本実施の形態３にかかる撮像装置１が実行する処理の概要を示すフローチャートである。
【０１２１】
図１６において、ステップＳ３０１〜ステップＳ３０９は、上述した図１０のステップＳ２０１〜ステップＳ２０９にそれぞれ対応する。
【０１２２】
ステップＳ３１０において、追尾被写体設定部２０７ｃは、特徴量検出部２０７ｂがタッチ位置を含む領域に対して検出した特徴量に基づいて、隣接する画像間でターゲットとする被写体の追尾を開始する。具体的には、図１７に示すように、追尾被写体設定部２０７ｃは、特徴量検出部２０７ｂがタッチによって指定されたターゲットＴ１に対して検出した特徴量に基づいて、隣接する画像間でターゲットとする被写体の追尾を開始する。ステップＳ３１０の後、撮像装置１は、ステップＳ３１１へ移行する。
【０１２３】
ステップＳ３１１〜ステップＳ３１４は、図１０のステップＳ２１０〜ステップＳ２１３にそれぞれ対応する。
【０１２４】
ステップＳ３１５において、本体制御部２２７は、ターゲットＴ１がレンズ部３のズーム枠Ｋ２０内に位置しているか否かを判断する。具体的には、図１８に示すように、ターゲットＴ１がズーム枠Ｋ２０内に位置しているか否かを判断する。ターゲットＴ１がズーム枠Ｋ２０内に位置していないと本体制御部２２７が判断した場合（ステップＳ３１５：Ｙｅｓ）、撮像装置１は、ステップＳ３１６へ移行する。これに対して、ターゲットＴ１がズーム枠Ｋ２０に位置していると本体制御部２２７が判断した場合（ステップＳ３１５：Ｎｏ）、撮像装置１は、ステップＳ３２０へ移行する。
【０１２５】
ステップＳ３１６において、表示制御部２２７ｃは、表示部２１６が表示するライブビュー画像Ｗ２０から副画像Ｋ２１を削除する。
【０１２６】
続いて、撮影制御部２２７ｂは、現在のターゲットＴ１に相当する大きさまでレンズ部３の光学ズームを行う（ステップＳ３１７）。
【０１２７】
その後、ターゲットＴ１がズーム枠Ｋ２０から外れた場合（ステップＳ３１８：Ｙｅｓ）、撮影制御部２２７ｂは、レンズ部３による光学ズームを停止する（ステップＳ３１９）。ステップＳ３１９の後、撮像装置１は、ステップＳ３２０へ移行する。これに対して、ターゲットＴ１がズーム枠Ｋ２０から外れていない場合（ステップＳ３１８：Ｎｏ）、撮像装置１は、ステップＳ３２０へ移行する。
【０１２８】
続いて、レリーズスイッチ２１１ｂの半押し操作が行われた場合（ステップＳ３２０：Ｙｅｓ）、撮影制御部２２７ｂは、ＡＥ処理部２０８にＡＥ処理を実行させるとともに、ＡＦ処理部２０９にＡＦ処理を実行させる（ステップＳ３２１）。ステップＳ３２１の後またはレリーズスイッチ２１１ｂの半押し操作が行われていない場合（ステップＳ３２０：Ｎｏ）、撮像装置１は、ステップＳ３２２へ移行する。
【０１２９】
ステップＳ３２２〜ステップＳ３２６は、図１０のステップＳ２１９〜ステップＳ２２３にそれぞれ対応する。
【０１３０】
以上説明した本実施の形態３によれば、撮影制御部２２７ｂが追尾被写体のターゲットＴ１とズーム枠Ｋ２０とが一致したい場合、レンズ部３をズーム枠Ｋ２０の大きさに相当する光学ズームに駆動する。これにより、ユーザは、撮像装置１の撮影方向を操作して追尾被写体のターゲットＴ１にズーム枠Ｋ２０を合わせるだけで、所望のズーム倍率の撮影を行うことができる。
【０１３１】
また、本実施の形態３によれば、撮影制御部２２７ｂがズーム枠Ｋ２０から追尾被写体のターゲットＴ１が外れた場合、レンズ部３の光学ズームを停止する。これにより、ユーザが所望しない被写体が拡大されることを防止することができる。
【０１３２】
（実施の形態４）
つぎに、本発明の実施の形態４について説明する。本実施の形態４は、上述した実施の形態１にかかる撮像装置と同様の構成を有し、撮像装置が実行する処理のみ異なる。このため、以下においては、本実施の形態４にかかる撮像装置が実行する処理のみ説明する。なお、上述した実施の形態１と同一の構成には同一の符号を付して説明する。
【０１３３】
図１９は、本実施の形態４にかかる撮像装置１が実行する処理の概要を示すフローチャートである。
【０１３４】
ステップＳ４０１〜ステップＳ４１１は、図１０のステップＳ２０１〜ステップＳ２１１にそれぞれ対応する。
【０１３５】
ステップＳ４１２において、本体制御部２２７は、スライド位置の座標がレンズ部３による光学ズームの領域内であるか否かを判断する。スライド位置の座標がレンズ部３による光学ズームの領域内であると本体制御部２２７が判断した場合（ステップＳ４１２：Ｙｅｓ）、撮像装置１は、後述するステップＳ４１３へ移行する。これに対して、スライド位置の座標がレンズ部３による光学ズームの領域内でないと本体制御部２２７が判断した場合（ステップＳ４１２：Ｎｏ）、撮像装置１は、後述するステップＳ４１７へ移行する。
【０１３６】
ステップＳ４１３において、レンズ部３による光学ズームが限界である場合（ステップＳ４１３：Ｙｅｓ）、表示制御部２２７ｃは、表示部２１６が表示するライブビュー画像上に光学ズームの限界値に対応する最小の電子ズーム枠を重畳して表示させる（ステップＳ４１４）。これに対して、レンズ部３による光学ズームが限界でない場合（ステップＳ４１３：Ｎｏ）、表示制御部２２７ｃは、表示部２１６が表示するライブビュー画像上に光学ズームによる光学ズーム枠を重畳して表示させる（ステップＳ４１５）。
【０１３７】
続いて、表示制御部２２７ｃは、ズーム枠Ｋ３０または電子ズーム枠に対して、トリミング部２０７ａが画像データから切出して生成した副画像Ｋ３１をライブビュー画像Ｗ３０上に重畳して表示させる（ステップＳ４１６）。具体的には、図２０（ａ）に示すように、表示制御部２２７ｃは、表示部２１６が表示するライブビュー画像Ｗ３０上にズーム枠Ｋ３０を表示させる。ステップＳ４１６の後、撮像装置１は、ステップＳ４２０へ移行する。
【０１３８】
ステップＳ４１７において、表示制御部２２７ｃは、表示部２１６が表示するライブビュー画像Ｗ３０上に、レンズ部３による光学ズームの限界値に対応する最小のズーム枠を表示させる。
【０１３９】
続いて、表示制御部２２７ｃは、表示部２１６が表示するライブビュー画像Ｗ３０上に、電子ズームによる電子ズーム枠を表示させ（ステップＳ４１８）、ライブビュー画像Ｗ３０上に副画像を表示させる（ステップＳ４１９）。具体的には、図２１に示すように、表示制御部２２７ｃは、表示部２１６が表示するライブビュー画像Ｗ３０上に、レンズ部３による光学ズームの限界値に対応する最小のズーム枠Ｋ３３を表示後、ライブビュー画像Ｗ３０上に電子ズーム枠Ｋ３４を表示させる（図２０（ａ）→図２０（ｂ））。この際、表示制御部２２７ｃは、トリミング部２０７ａが電子ズーム枠Ｋ３４に対応する画像データの領域から切出して生成した副画像Ｋ３１をライブビュー画像Ｗ３０上に重畳して表示させる。ステップＳ４１９の後、撮像装置１は、ステップＳ４２０へ移行する。
【０１４０】
ステップＳ４２０〜ステップＳ４２３は、図１０のステップＳ２１４〜ステップＳ２１７にそれぞれ対応する。
【０１４１】
ステップＳ４２４において、レンズ部３による光学ズームが限界である場合（ステップＳ４２４：Ｙｅｓ）、撮影制御部２２７ｂは、レンズ部３による光学ズームからトリミング部２０７ａによる電子ズームに切り換えを行う（ステップＳ４４５）。その後、撮像装置１は、ステップＳ４２６へ移行する。これに対して、レンズ部３による光学ズームが限界でない場合（ステップＳ４２４：Ｎｏ）、撮像装置１は、ステップＳ４２６へ移行する。
【０１４２】
ステップＳ４２６およびステップＳ４２７は、図１０のステップＳ２１８およびステップＳ２１９にそれぞれ対応する。
【０１４３】
ステップＳ４２８において、撮影制御部２２７ｂは、撮像素子２０３に静止画撮影を実行させる。この場合、レンズ部３による光学ズームが限界のとき、撮影制御部２２７ｂは、撮像素子２０３が静止画撮影で生成した画像データからトリミング部２０７ａに対して電子ズーム枠Ｋ３４に相当する領域を切出してトリミング画像を生成させる。
【０１４４】
ステップＳ４２９〜ステップＳ４３１は、図１０のステップＳ２２１〜ステップＳ２２３にそれぞれ対応する。
【０１４５】
以上説明した本実施の形態４によれば、トリミング部２０７ａは、レンズ部３による所定のズーム倍率に対応する撮影領域を、撮像素子２０３によって生成された画像データから切出してトリミング画像を生成し、撮影制御部２２７ｂは、トリミング部２０７ａによって生成されたトリミング画像のズーム倍率に従って、レンズ部３の光学ズームを制御する。これにより、画像の解像度を低下させることなく、直感的な操作でユーザが所望する領域を拡大して表示することができる。
【０１４６】
また、本実施の形態４によれば、表示制御部２２７ｃがレンズ部３の光軸Ｏ上にズーム枠Ｋ３１がない場合、トリミング部２０７ａが生成したトリミング画像を表示部２１６に全画面表示させる。これにより、レンズ部３による光学ズームを行うことができなくとも、電子ズームによって仮想的にユーザが所望するズーム倍率で表示することができる。
【０１４７】
また、本実施の形態４によれば、表示制御部２２７ｃは、レンズ部３の光学ズームによる撮影領域ズーム枠が大きい場合、トリミング部２０７ａが生成したトリミング画像を表示部２１６に全画面表示させる。これにより、レンズ部３による光学ズームを行うことができなくとも、電子ズームによって仮想的にユーザが所望するズーム倍率で表示部２１６に画像を表示することができる。
【０１４８】
（その他の実施の形態）
上述した実施の形態では、本体部に対して、着脱自在なレンズ部を備えたデジタル一眼レフカメラであったが、たとえば、光学系を含むレンズ部と本体部とが一体的に設けられてもよい。
【０１４９】
また、上述した実施の形態では、レンズ部にリング状の操作リングが設けられていたが、たとえばプッシュ式のスイッチやレバー式の切り替えスイッチ等であってもよい。
【０１５０】
また、上述した実施の形態では、接眼表示部が本体部に一体的に形成されていたが、接眼表示部が本体部に対して着脱自在であってもよい。
【０１５１】
また、本発明に係る撮像装置は、コンパクトデジタルカメラ、デジタル一眼レフカメラ以外にも、例えばアクセサリ等を装着可能なデジタルビデオカメラおよび撮影機能を有する携帯電話やタブレット型携帯機器等の電子機器としても適用することができる。
【０１５２】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１５３】
このように、本発明は、ここでは記載していない様々な実施の形態を含みうるものであり、特許請求の範囲によって特定される技術的思想の範囲内で種々の設計変更等を行うことが可能である。
【符号の説明】
【０１５４】
１  撮像装置
２  本体部
３  レンズ部
４  外部機器
２０１  シャッタ
２０２  シャッタ駆動部
２０３  撮像素子
２０４  撮像素子駆動部
２０５  信号処理部
２０６  Ａ／Ｄ変換部
２０７  画像処理部
２０７ａ  トリミング部
２０７ｂ  特徴量検出部
２０７ｃ  追尾被写体設定部
２０８  ＡＥ処理部
２０９  ＡＦ処理部
２１０  画像圧縮展開部
２１１  入力部
２１１ｂ  レリーズスイッチ
２１２  アクセサリ通信部
２１３  接眼表示部
２１４  アイセンサ
２１５  可動部
２１６  表示部
２１７  タッチパネル
２１８  回動判定部
２１９  状態検出部
２２０  時計
２２１  記録媒体
２２２  メモリＩ／Ｆ
２２３  ＳＤＲＡＭ
２２４  Ｆｌａｓｈメモリ
２２５  本体通信部
２２６  バス
２２７  本体制御部
２２７ａ  タッチ検出部
２２７ｂ  撮影制御部
２２７ｃ  表示制御部
３０１  ズームレンズ
３０７  フォーカスレンズ
３１３  レンズ制御部
【図１】
2014011721.tif 000003
【図２】
2014011721.tif 000004
【図３】
2014011721.tif 000005
【図４】
2014011721.tif 000006
【図５】
2014011721.tif 000007
【図６】
2014011721.tif 000008
【図７】
2014011721.tif 000009
【図８】
2014011721.tif 000010
【図９】
2014011721.tif 000011
【図１０】
2014011721.tif 000012
【図１１】
2014011721.tif 000013
【図１２】
2014011721.tif 000014
【図１３】
2014011721.tif 000015
【図１４】
2014011721.tif 000016
【図１５】
2014011721.tif 000017
【図１６】
2014011721.tif 000018
【図１７】
2014011721.tif 000019
【図１８】
2014011721.tif 000020
【図１９】
2014011721.tif 000021
【図２０】
2014011721.tif 000022
【図２１】
2014011721.tif 000023